(57)【要約】【課題】インプラント植立孔をあける作業と同時に、衛生的、かつ、効率的に骨を収集でき、組立、分解および洗浄が容易であり、かつ、滅菌処理が容易であることにより、感染症を防止することができる歯科用骨収集装置を提供する【解決手段】本体ハウジング（２）と、棒状切削具（１）と、骨収納ハウジング（３）とからなる。骨収納ハウジング（３）は、棒状切削具（１）の先端の方に移動可能かつ付勢され、両端がテーパ状またはフランジ状であって棒状切削具（１）のドリルとの間に骨収納空間が形成される。骨収納ハウジング（３）には、側面から突出するガイドネジ（３ｅ）を備え、本体ハウジング（２）には、ガイドネジ（３ｅ）の軸部が摺動可能で、軸方向に伸長するガイド孔（２ａ）を備え、ガイド孔（２ａ）の途中には、一方の円周方向に伸長し、さらに軸方向の端部まで伸長する取外し孔（２ｂ）が設けられている。【選択図】図１
2009207659.tif 000002
【特許請求の範囲】
【請求項１】
歯科用ハンドピースに取り付け可能な歯科用骨収集装置であり、基端側に挿通孔が設けられ、先端側が開口する筒状の本体ハウジングと、該本体ハウジング内で回転可能に収められ、基端が前記歯科用ハンドピースの回転チャックに取り付けられ、先端がドリルである棒状切削具と、該棒状切削具のドリルを囲み、本体ハウジング内に収容される形状であり、ドリルの先端に向けて移動可能かつ付勢される骨収納ハウジングとからなり、該骨収納ハウジングの軸方向両端は、それぞれテーパ状またはフランジ状であって前記ドリルとの間に骨収納空間が形成され、前記骨収納ハウジングには、周面から突出するガイドネジを備え、前記本体ハウジングには、該ガイドネジの軸部が摺動可能で、軸方向に伸長するガイド孔が備えられ、該ガイド孔の中間部先端側から、一方の円周方向に伸長し、さらに軸方向に先端部まで伸長して、該ガイドネジの軸部が摺動可能である取外し孔が設けられている歯科用骨収集装置。
【請求項２】
前記棒状切削具および前記骨収納ハウジングには、それぞれストッパーが備えられ、それぞれのストッパーの間で縮小および復元が自在な弾性材により、骨収納ハウジングを、ドリルの先端の方に付勢していることを特徴とする請求項１に記載の歯科用骨収集装置。
【請求項３】
前記骨収納ハウジングは、前記ストッパーを備える一方の半部と、他方の半部とに分かれて、円周方向に相互に摺動可能であることを特徴とする請求項２に記載の歯科用骨収集装置。
【請求項４】
歯科用ハンドピースに取り付け可能な歯科用骨収集装置であり、
筒状部材からなり、基端側に挿通孔が設けられ、先端側が開口し、周面の一部に軸方向に伸長するガイド孔と、該ガイド孔の中間部先端側から、一方の円周方向に伸長し、さらに軸方向に先端部まで伸長する取外し孔が形成されている本体ハウジングと、
前記本体ハウジング内に収納可能で、前記本体ハウジングの内周面と摺動可能な外周面を有する筒状部材からなり、基端側が開口しており、先端側の周面が、テーパ状またはフランジ状となっており、先端側に基端側の開口より小さい開口が設けられ、基端側の周面から突出するガイドネジが備えられた骨収納ハウジング本体と、
基端側に前記歯科用ハンドピースの回転チャックに取付可能な構造を有し、先端がドリルである棒状切削具であって、中間部に、基端部側のストッパーと、前記骨収容ハウジング本体と同じ大きさの外周を有する第１筒部と、該第１筒部に連続し、前記骨収容ハウジング本体内に収容可能で、前記骨収容ハウジング本体の内周面と摺動可能な外周面を有する第２筒部とからなる先端側のストッパーと、該基端部側のストッパーと先端部側のストッパーの間に設けられ、該先端部側のストッパーを先端側に付勢する弾性体とが備えられた棒状切削具と、を備え、
前記棒状切削具と前記骨収納ハウジングが前記本体ハウジングに収納され、前記ガイドネジが前記ガイド孔に挿通されている状態で、前記骨収容ハウジング本体と先端側のストッパーの間に、軸方向に移動可能な骨収容ハウジングが形成される歯科用骨収集装置。
【請求項５】
各部材を構成する材料が、オートクレーブ処理に耐えられることを特徴とする請求項１〜４のいずれか一項に記載の歯科用骨収集装置。
【発明の詳細な説明】
【技術分野】
【０００１】
本発明は、顎骨にインプラント体を植立する際に、顎骨に設けられたインプラント植立孔とインプラント体との隙間に補填するために使用する骨片を、インプラント植立孔をあける作業と同時に収集する歯科用骨収集装置に関する。
【背景技術】
【０００２】
歯科治療において、顎骨にインプラントを植立する際、まず、顎骨である歯槽骨をインプラント体に合わせてドリルで拡張穿孔し、設けられたインプラント植立孔にインプラント体を挿入する。この際、かかる植立孔とインプラント体に隙間が生ずる場合があるため、これを補填する必要がある。かかる補填には、骨片を利用できる。
【０００３】
従来、骨片を収集する装置としては、トレフィンバー、コレクバー、Ｋトレフィンバー、特開２００７−２２９４６５号公報に記載されたようなボーンスクレイパー、または特表平１１−５１４９０５号公報、特表平１０−５０５７７５号公報に記載されているようなボーンコレクターなどが市販されている。
【０００４】
一方、上記の顎骨にドリルでインプラント植立孔を拡張穿孔する際に、骨片が生じるが、従来ほとんどの場合、かかる骨片は廃棄されていた。
【０００５】
近年、かかる歯科治療において、顎骨にインプラント植立孔をあける際に生ずる骨片を収集する試みがなされている。このような骨収集装置として、例えば、特開平１０−１１８０８５号公報に、ドリルを囲む管の中に骨を収集する装置が記載され、特開２００４−３２９３１２号公報および特開２００５−１３７４２７号公報に、吸入することにより骨を収集する装置が記載されている。
【０００６】
しかし、特開平１０−１１８０８５号公報に記載されているような装置では、装置から骨片を収集しにくく、骨片が残留すると次の機会に収集する骨片が汚染されるという問題がある。また、特開２００４−３２９３１２号公報および特開２００５−１３７４２７号公報に記載されているような装置では、口腔内の不純物および汚染物が混入するという問題がある。また、吸入後に骨片を選別するために使用されるフィルターの洗浄が困難であり、前述と同様に汚染機会が増えるという問題もある。
【特許文献１】特開２００７−２２９４６５号公報
【特許文献２】特表平１１−５１４９０５号公報
【特許文献３】特表平１０−５０５７７５号公報
【特許文献４】特開平１０−１１８０８５号公報
【特許文献５】特開２００４−３２９３１２号公報
【特許文献６】特開２００５−１３７４２７号公報
【発明の開示】
【発明が解決しようとする課題】
【０００７】
本発明は、インプラント植立孔をあける作業と同時に、衛生的かつ効率的に骨片を収集でき、組立、分解および洗浄が容易であり、滅菌処理が容易であることにより感染症を防止することができる歯科用骨収集装置を提供することを目的とする。
【課題を解決するための手段】
【０００８】
本発明の歯科用骨収集装置は、歯科用ハンドピースに取り付け可能な歯科用骨収集装置に係り、基端側に挿通孔が設けられ、先端側が開口する筒状の本体ハウジングと、該本体ハウジング内で回転可能に収められ、基端が前記歯科用ハンドピースの回転チャックに取り付けられ、先端がドリルである棒状切削具と、該棒状切削具のドリルを囲み、本体ハウジング内に収容される形状であり、ドリルの先端に向けて移動可能かつ付勢される骨収納ハウジングとからなり、該骨収納ハウジングの軸方向両端は、それぞれテーパ状またはフランジ状であって前記ドリルとの間に骨収納空間が形成され、前記骨収納ハウジングには、周面から突出するガイドネジを備え、前記本体ハウジングには、該ガイドネジの軸部が摺動可能で、軸方向に伸長するガイド孔が備えられ、該ガイド孔の中間部先端側から、一方の円周方向に伸長し、さらに軸方向に先端部まで伸長して、該ガイドネジの軸部が摺動可能である取外し孔が設けられている。
【０００９】
さらに、前記棒状切削具および前記骨収納ハウジングには、それぞれストッパーが備えられ、それぞれのストッパーの間で縮小および復元が自在な弾性材により、骨収納ハウジングを、ドリルの先端の方に付勢していることが好ましい。なお、かかる弾性材としては、スプリングバネを用いることができるが、これに限られない。
【００１０】
また、前記骨収納ハウジングは、前記ストッパーを備える一方の半部と、他方の半部とに分かれて、円周方向に相互に摺動可能であることが好ましい。
【００１１】
より具体的には、本発明に係る歯科用骨収集装置は、
筒状部材からなり、基端側に挿通孔が設けられ、先端側が開口し、周面の一部に軸方向に伸長するガイド孔と、該ガイド孔の中間部先端側から、一方の円周方向に伸長し、さらに軸方向に先端部まで伸長する取外し孔が形成されている本体ハウジングと、
前記本体ハウジング内に収納可能で、前記本体ハウジングの内周面と摺動可能な外周面を有する筒状部材からなり、基端側が開口しており、先端側の周面が、テーパ状またはフランジ状となっており、先端側に基端側の開口より小さい開口が設けられ、基端側の周面から突出するガイドネジが備えられた骨収納ハウジング本体と、
基端側に前記歯科用ハンドピースの回転チャックに取付可能な構造を有し、先端がドリルである棒状切削具であって、中間部に、基端部側のストッパーと、前記骨収容ハウジング本体と同じ大きさの外周を有する第１筒部と、該第１筒部に連続し、前記骨収容ハウジング本体内に収容可能で、前記骨収容ハウジング本体の内周面と摺動可能な外周面を有する第２筒部とからなる先端側のストッパーと、該基端部側のストッパーと先端部側のストッパーの間に設けられ、該先端部側のストッパーを先端側に付勢する弾性体とが備えられた棒状切削具とを、備え、
前記棒状切削具と前記骨収納ハウジングが前記本体ハウジングに収納され、前記ガイドネジが前記ガイド孔に挿通されている状態で、前記骨収容ハウジング本体と先端側のストッパーの間に、軸方向に移動可能な骨収容ハウジングが形成されるようになっている。
【００１２】
なお、各部材を構成する材料が、オートクレーブ処理に耐えられることが好ましい。基本的には、チタン、ステンレスなどの歯科用材料として好適な金属材料であることが好ましいが、オートクレーブ処理に耐え得られる材料であれば樹脂材料を用いることもでき、また、骨収容ハウジング本体については、樹脂材料で形成し、使い捨て可能とすることもできる。
【００１３】
以上のような構成により、前記骨収納ハウジングは、ドリルが顎骨を削り始め、ドリルが顎骨を削り、ドリルを顎骨に拡張穿孔されたインプラント植立孔から抜くまでの間、ドリルの切削部を顎骨とにより包む状態を維持する。この状態で、ドリルの旋回により、削り取られた顎骨の骨片が該骨収納ハウジング内に収容される。さらに、骨収納ハウジングのガイドネジを、前記取外し孔を通すことにより、本体ハウジングに収納し、あるいは取り外すことが、容易に可能である。
【発明の効果】
【００１４】
本発明では、インプラント植立孔をあける作業と同時に該顎骨から骨片を収集し、衛生的かつ効率的に骨片を収集することができる。また、組立、分解および洗浄が容易で、１３５℃以上のオートクレーブ処理を行うだけで滅菌処理ができる。そのため、骨片が残留せず、次の機会に収集する骨片が汚染されることがなく、感染症を防止することができる。
【００１５】
さらに、穿孔中に、本体ハウジングに骨収集ハウジングが徐々に収納されることになり、骨収納ハウジングの長さが動作に支障を与えないことから、全長を短くすることができ、操作性を飛躍的に向上させることができる。
【発明を実施するための最良の形態】
【００１６】
本発明の歯科用骨収集装置の一実施例について、図面を参照して説明する。図１に、本発明の歯科用骨収集装置の一実施例を使用する３つの状態を一部破断正面図で示す。図１（ａ）は、切削前を示し、図１（ｂ）は、切削中を示し、図１（ｃ）は、切削後を示す。図２は、図１に示す装置の各部説明図である。図３は、図１の本体ハウジングを正面図および側面図で示す。図４は、図１の骨収集ハウジングを一部破断正面図で示す。図５は、図１の装置において骨収納ハウジングを形成する一部材である、先端側ストッパー部を一部破断正面図で示す。
【００１７】
本発明の歯科用骨収集装置は、歯科用ハンドピース（６）に取り付け可能であり、基端側に挿通穴が設けられ、先端側が開口する筒状の本体ハウジング（２）と、本体ハウジング（２）内で回転可能に収められ、基端が歯科用ハンドピース（６）の回転チャックに取り付けられ、先端がドリルである棒状切削具（１）と、該棒状切削具（１）のドリルを囲み、本体ハウジング（２）の中に収容される形状であり、ドリル（１）の先端の方に移動可能かつ付勢される骨収納ハウジング（３）とからなる。
【００１８】
骨収納ハウジング（３）の軸方向両端は、それぞれテーパ状（３ｃ）またはフランジ状（３ａ）であって、骨収容ハウジングの基部（３ｂ）とストッパー部（３ａ）とテーパ状部（３ｃ）と、ドリル（１）との間に骨収納空間が形成される。骨収納ハウジング（３）の基部（３ｂ）には、側面から突出するガイドネジ（３ｅ）を備える。また、骨収納ハウジング（３）は、図５に示す一方の半部であるストッパー部（３ａ）と、図４に示す他方の半部（３ｂ）とに分かれて、図１で示されているように入れ子状であり、相互に摺動可能とする。
【００１９】
実際には、棒状切削具（１）の中間部に、基端部側のストッパー（１ｂ、１ｃ）と、骨収容ハウジング本体（基部；３ｂ）と同じ大きさの外周を有する第１筒部と、該第１筒部に連続し、骨収容ハウジング本体（３ｂ）内に収容可能で、骨収容ハウジング本体（３ｂ）の内周面と摺動可能な外周面を有する第２筒部とからなる先端側のストッパー（３ａ）と、基端部側のストッパー（１ｂ、１ｃ）と先端部側のストッパー（３ａ）の間に設けられ、先端部側のストッパー（３ａ）を先端側に付勢する弾性体であるスプリングバネ（４）とが備えられる。
【００２０】
基端部側のストーパーは、棒状切削具（１）の中間部に設けられた周溝（図示せず）にＥリング（１ｂ）とスプリングバネ（４）の先端が取り付けられた座金（１ｃ）を周方向に摺動可能に外嵌し、スプリングバネ（４）の他端は、先端側のストッパー（３ａ）の第１筒部の内周に内嵌するように取り付けられている。そして、先端側のストッパー（３ａ）の内径側に棒状切削具（１）が貫通し、第２筒部が骨収納ハウジング本体（３ｂ）に周方向に摺動可能に内嵌される。
【００２１】
このように、座金（１ｃ）とストッパー部（３ａ）との間で縮小および復元が自在なスプリングバネ（４）により、ストッパー部（３ａ）と基部（３ｂ）からなる骨収納ハウジング（３）が、ドリル（１）の先端の方に付勢される。
【００２２】
このようにして、棒状切削具（１）と骨収納ハウジング（３）が本体ハウジング（２）に収納され、ガイドネジ（３ｅ）がガイド孔（２ａ）に挿通されている状態で、骨収容ハウジング本体（３ｂ）と先端側のストッパー（３ａ）の間に、軸方向に移動可能な骨収容ハウジング（３）が形成されるようになっている。
【００２３】
図３に示すように、本体ハウジング（２）には、ガイドネジ（３ｅ）の軸部が摺動可能で、軸方向に伸びるガイド孔（２ａ）を備え、ガイド孔（２ａ）の途中には、一方の円周方向に伸長し、さらに軸方向に先端側まで伸長して、開放するように、ガイドネジ（３ｅ）の軸部が摺動可能な取外し孔（２ｂ）が設けられている。取外し孔（２ｂ）は、図２（ａ）に示したθが、例えば、１２０度となるように決定されているが、かかる角度、さらには長さおよび幅などを含めて、取外し孔（２ｂ）の構造は、分解および組立が容易となるように、適宜、決定される。
【００２４】
さらに、いずれも、オートクレーブ処理に耐えられるように、煮沸処理、または、その他の消毒処理を可能とするために、耐熱性、耐摩耗性、耐錆性を有する公知の材料を使用する。好適な材料としては、チタンやステンレスなどの歯科用金属材料を用いることが好ましいが、上述のように、オートクレーブ処理に耐えるポリサルフォンなどの樹脂材料を用いたり、例えば、骨収容ハウジング本体（３ｂ）のみを使い捨ての樹脂材料で構成してもよい。
【００２５】
本発明の歯科用骨収集装置の使用方法について、以下に説明する。
【００２６】
図２（ｄ）に示されたように、棒状切削具（１）には、スプリングバネ（４）を挟んだ状態で、Ｅリング（１ｂ）、座金（１ｃ）、およびストッパー部（３ａ）が取り付けられる。なお、ストッパー部（３ａ）は、棒状切削具（１）の切削部の基端側にある段差部分に係止させるのみで、ストッパー部（３ａ）およびスプリングバネ（４）は、棒状切削具（１）に対して回転自在である。
【００２７】
このように組み立てられた棒状切削具（１）と、本体ハウジング（２）と、骨収納ハウジング（３）（実際には、骨収納ハウジング（３）のうち、ストッパー部（３ａ）は棒状切削具（１）に取り付けられ、基部が骨収納ハウジング（３ｂ９として独立した部材となっている）とを、オートクレーブ処理する。その後、本体ハウジング（２）にドリル（１）を挿入し、ドリル（１）の先端側から骨収集ハウジング（３）を挿入した後、ガイドネジ（３ｅ）の軸部を、本体ハウジング（２）の取外し孔（２ｂ）に差し入れて、角度θだけ回すことにより、ガイドネジ（３ｅ）の軸部を本体ハウジング（２）のガイド孔（２ａ）に入れる。
【００２８】
このように組み立てられる歯科用骨収集装置は、ドリルの直径を違えて、数種類を用意する。
【００２９】
患者の顎骨（７）にインプラント植立孔（８）を穿孔する際には、歯科用ハンドピース（６）の回転チャックに、棒状切削具（１）の基端部を取り付ける。
【００３０】
棒状切削部（１）を回転させて、ドリルにより顎骨（７）にインプラント植立孔（８）が穿孔されるにつれて、ドリルの旋回の伴って、骨片（５）が、骨収納ハウジング（３）とドリル（１）との間に形成されている骨収納空間に収集される。この際、図示した例では４つのスリット（３ｄ）を通して、公知の手段により水流が内部に送り込まれるように施術してもよい。このような水流により冷却をすることで、収集する骨片（５）にドリル（１）の回転で生じる熱の影響が表れないようにすることができる。
【００３１】
患者の顎骨（７）にインプラント植立孔（８）が穿孔された後は、ガイドネジ（３ｅ）の軸部を、本体ハウジング（２）のガイド孔（２ａ）から、取外し孔（２ｂ）に移動させ、角度θだけ回して、骨収集ハウジング（３）を外し、骨収集ハウジング（３）の内側からトレーなどに移して、骨片（５）を得る。その後は、各部材の洗浄および滅菌処理などを行えばよい。
【図面の簡単な説明】
【００３２】
【図１】本発明の歯科用骨収集装置の一実施例を使用する３つの状態を示す一部破断正面図である。
【図２】図１の各部説明図である。
【図３】図１の本体ハウジングを示す正面図および側面図である。
【図４】図１の骨収集ハウジングを示す一部破断正面図である。
【図５】図１のストッパー部を示す一部破断正面図である。
【符号の説明】
【００３３】
１  ドリル
１ａ  切削部
１ｂ  Ｅリング
１ｃ  座金
２  本体ハウジング
２ａ  ガイド孔
２ｂ  取外し孔
３  骨収集ハウジング
３ａ  ストッパー部
３ｂ  基部
３ｃ  テーパ
３ｄ  スリット
３ｅ  ガイドネジ
４  スプリングバネ
５  骨片
６  歯科用ハンドピース
７  顎骨
８  インプラント植立孔
【図１】
2009207659.tif 000003
【図２】
2009207659.tif 000004
【図３】
2009207659.tif 000005
【図４】
2009207659.tif 000006
【図５】
2009207659.tif 000007